(57)【要約】【課題】  缶型二次電池の安全性を向上させるために、電解液注入口の密封構造を改善して、電解液の流出が防止できる二次電池を提供する。【解決手段】  正極板１２３、負極板１２５、及びセパレータ１２４が巻き取られて形成される電極組立体１２２と、前記電極組立体１２２及び電解液が受容される缶１２０と、一側に電解液注入口１３６が形成されるキャッププレート１３１を備え、前記缶１２０の上段開口部を密封するキャップ組立体１３０、及び前記キャップ組立体１３０に電気的に接続される保護回路基板と、を含む二次電池であって、前記キャッププレート１３１の上面に、前記電解液注入口１３６を密封する密封プレート１４０を含むことを特徴とする。【選択図】図２ａ
2006012829.tif 000002
【特許請求の範囲】
【請求項１】
正極板、負極板、及びセパレータが巻き取られて形成される電極組立体と、前記電極組立体及び電解液が受容される缶と、一側に電解液注入口が形成されるキャッププレートを備え、前記缶の上段開口部を密封するキャップ組立体、及び前記キャップ組立体に電気的に接続される保護回路基板と、を含む二次電池であって、
前記キャッププレートの上面に、前記電解液注入口を密封する密封プレートを含むことを特徴とする二次電池。
【請求項２】
前記密封プレートは、前記キャッププレートの上面に熔接されることを特徴とする請求項１記載の二次電池。
【請求項３】
前記密封プレートは、溶接により形成される熔接部位が、前記電解液注入口の周囲に閉曲線をなすように熔接されることを特徴とする請求項２記載の二次電池。
【請求項４】
前記熔接部位は、前記電解液注入口を中心として環形で形成されることを特徴とする請求項３記載の二次電池。
【請求項５】
前記熔接部位は、環形の内側が、前記電解液注入口から少なくとも０．１ｍｍ離隔して形成されることを特徴とする請求項４記載の二次電池。
【請求項６】
前記密封プレートは、レーザー熔接により溶接されることを特徴とする請求項３記載の二次電池。
【請求項７】
前記レーザー熔接において、熔接深度は０．１５ｍｍないし０．５０ｍｍであることを特徴とする請求項６記載の二次電池。
【請求項８】
前記密封プレートは、ニッケル金属からなることを特徴とする請求項３記載の二次電池。
【請求項９】
前記密封プレートは、上部のニッケル金属板と下部のアルミニウム金属板とが接合されて形成されることを特徴とする請求項３または４記載の二次電池。
【請求項１０】
前記密封プレートは、０．０５ないし０．４５ｍｍの厚さで形成されることを特徴とする請求項３記載の二次電池。
【請求項１１】
前記密封プレートは、長さ方向に伸延して形成され、一側が前記電解液注入口に熔接され、他側が前記保護回路基板の電極タップに連結されることを特徴とする請求項３記載の二次電池。
【請求項１２】
前記密封プレートは、他側の側面から上部に延びて形成される延長部が更に形成され、前記延長部に、前記保護回路基板の電極タップが連結されることを特徴とする請求項１１記載の二次電池。
【請求項１３】
前記キャッププレートは、前記電解液注入口の上部に前記密封プレートに相応する大きさで形成されて、前記密封プレートが安着する安着溝を更に含むことを特徴とする請求項３記載の二次電池。
【請求項１４】
前記密封プレートは、前記キャッププレートの電解液注入口に相応する位置が、下部へ所定面積が突出して熔接部が形成され、前記熔接部の外側で前記キャッププレートに熔接されるように形成されることを特徴とする請求項１記載の二次電池。
【請求項１５】
前記熔接部は、前記電解液注入口の直径より大きい直径または辺を有する円形または四角形で形成されることを特徴とする請求項１４記載の二次電池。
【請求項１６】
前記密封プレートは、下面に前記電解液注入口の内径に相応する外径を有する弾性体を更に含んでなることを特徴とする請求項１記載の二次電池。
【請求項１７】
前記弾性体は、前記キャッププレートの厚さよりも低い高さで形成されることを特徴とする請求項１６記載の二次電池。
【請求項１８】
前記弾性体は、ＰＰ、ＰＰＳ、ＰＩ、ＮＹＬＯＮ６６を含む有機材料中、いずれかの一つの材質で形成されることを特徴とする請求項１６記載の二次電池。
【請求項１９】
前記保護回路基板は、前記二次電池の正極および負極に連結される正負極用リードプレートおよび負極用リードプレートを備え、
前記密封プレートは、前記リードプレート中、いずれかの一つに形成されて、前記電解液注入口の外周より大きい熔接部位を形成しながら、前記電解液注入口上に固定されることを特徴とする請求項１記載の二次電池。
【請求項２０】
前記リードプレートは、導電性プレートで形成されることを特徴とする請求項１９記載の二次電池。
【請求項２１】
前記負極用リードプレートが前記二次電池の負極端子に熔接により固定され、前記正極用リードプレートが前記電解液注入口の上部のキャッププレートに熔接されて固定されることを特徴とする請求項１９記載の二次電池。
【請求項２２】
前記保護回路基板は、前記キャップ組立体上に位置するように設けられることを特徴とする請求項１９記載の二次電池。
【請求項２３】
前記熔接部位は、実質的に前記電解液注入口の外周を囲む形状からなることを特徴とする請求項１９記載の二次電池。
【請求項２４】
前記熔接部位により形成される面積は、前記電解液注入口の断面積より少なくとも２倍になるように形成されることを特徴とする請求項１９記載の二次電池。
【請求項２５】
前記熔接部位は、少なくとも２つの熔接ラインで形成され、当該溶接ラインのいずれかの一つが他の熔接ラインを囲んでいる形態で形成されることを特徴とする請求項１９記載の二次電池。
【請求項２６】
前記電解液注入口は、上部が面取りされて形成されることを特徴とする請求項１記載の二次電池。
【発明の詳細な説明】
【技術分野】
【０００１】
本発明は、二次電池に関し、より詳細では、二次電池の安全性の向上のために、電解液注入口の密封構造を改善して電解液の流出が防止できる二次電池に関する。
【背景技術】
【０００２】
一般に、ビデオカメラ、携帯型電話、携帯型コンピュータなどのような携帯型無線機器の軽量化及び高機能化のために、その駆動電源として使われる二次電池について多くの研究がなされている。このような二次電池は、例えば、ニッケルカドミウム電池、ニッケル水素電池、ニッケル亜鉛電池、リチウム二次電池などがある。これらの中、リチウム二次電池は再充電が可能であり、小型化及び大容量化が可能なものであって、作動電圧が高く、単位重量当りのエネルギー密度が高いという長所があるので、尖端電子機器分野で広く使われている。
【０００３】
このような二次電池は、正極板、負極板及びセパレータからなる発電要素、即ち、電極組立体を金属製の缶に受納し、この缶の内部に電解液を注入して密封して形成される。このように缶に密封された二次電池は、通常、上部に缶と絶縁された電極端子を備え、この電極端子が電池のいずれか１つの極をなし、他極は電池缶自体となる。
【０００４】
一方、上記のように密封された二次電池には、ＰＴＣのような二次保護素子及び保護回路モジュール（ＰＣＭ：Ｐｒｏｔｅｃｔｉｎｇ  Ｃｉｒｃｕｉｔ  Ｍｏｄｕｌｅ）などの電池安全装置が連結されて電池パックに受納され、その際、これら電池の安全装置は、正極と負極とに各々連結されて、電池の高温上昇や、過充放電等により電池の電圧が急上昇する際に、電流を遮断して電池の破裂等の危険を防止する。
【０００５】
図１は、従来の二次電池において、ベアセルのキャッププレートに形成される電解液注入口を含む二次電池の上部を示す部分断面図である。
【０００６】
前記缶２０は、図１を参照して説明すると、二次電池において、略直六面体で、かつ、上側が開放された形状を有する金属材質の容器であり、好ましくは、軽量の伝導性金属で、かつ、腐食に容易に対処できるアルミニウム、または、アルミニウム合金が使われる。缶２０は、正極２３、セパレータ２４および負極２５を備える電極組立体２２のための、および電解液のための容器となり、電極組立体２２が缶２０の開放された上段、即ち、上段開口部を通じて缶２０に挿入された後、缶２０の上段開口部がキャップ組立体３０により密封される。
【０００７】
前記キャップ組立体３０には、缶２０の上段開口部に対応する大きさと形状を有する平板形のキャッププレート３１が備えられる。キャッププレート３１は、缶２０との結合における熔接性の向上のために、缶２０と同じアルミニウムやアルミニウム合金で形成されることが好ましい。キャッププレート３１の中央部には、電極端子が通過できるように端子通孔が形成される。キャッププレート３１の中央部を貫通する負極端子３２の外側には、負極端子３２とキャッププレート３１との電気的絶縁のために、チューブ形状のガスケット３３が設けられる。キャッププレート３１の端子通孔の近辺には、キャッププレート３１の下面に絶縁板３４が配置されている。絶縁板３４の下面には、ターミナルプレート３５が設けられている。
【０００８】
前記電極組立体２２は、正極２３と負極２４との間にセパレータ２５が介され、かつ、巻き取られて形成される。前記正極２３は、正極タップ２６を通じてキャッププレート３１に電気的に接続され、負極２５は、負極タップ２７を通じてキャッププレート３１の負極端子３２に電気的に接続される。従って、缶２０は負極端子３２と電気的に絶縁されて、正極端子の役割をすることになる。キャップ組立体３０が缶２０の上段と熔接された後には、キャッププレート３１の電解液注入口３６を通じて電解液が注入される。電解液注入口３６は、アルミニウムボールが圧入されてなる栓３７で密封される。また、栓３７上には液状の樹脂を塗布したり、樹脂液滴を落として、これを光や熱により硬化させて電解液の漏れを二重で防止することもできる。
【０００９】
前記電解液注入口３６の上部には、別途の保護回路基板と結合するリードプレート４０が形成される。前記リードプレート４０は、少なくともベアセルのキャッププレート３１の面と面結合するための一定の広さ以上の底部４２と、保護回路基板の電気端子との結合するために底部４２から垂直に延びる延長部４４と、を有する。前記延長部４４には、上部の保護回路基板の電極タップが連結される。
【００１０】
ところが、従来の二次電池において、電解液注入口３６は、アルミニウムボールからなる栓３７を圧入する方法により密封されるので、電解液注入口３６と栓３７との間の微細隙間が存在しやすく、この隙間から電解液が漏出する問題がある。特に、最近では、二次電池の高容量化によって缶２０の内部に注入される電解液の量が増加し、電解液注入口３６と圧入されたボール３７との間の毛細管現象により電解液が電解液注入口３６の上部に流出することになる。従って、電解液注入口３６とボール３７との間の熔接時に、電解液によって熔接が不安定になり、熔接部位にピンホールが生じる問題がある。
【００１１】
また、前記キャッププレートは薄板状であるので、電解液注入口にアルミニウムボールを圧入する際、キャッププレートが変形されながら電解液注入口の形状に変形をもたらすことになる。従って、電解液注入口にアルミニウムボールを圧入しても電解液注入口とボールとの間に微細な隙間が形成されて電解液が流出する問題がある。
【発明の開示】
【発明が解決しようとする課題】
【００１２】
本発明は、上記の問題点を解決するために案出したものであって、より詳細には、二次電池の安全性の向上のために、電解液注入口の密封構造を改善して電解液の流出が防止できる二次電池を提供することをその目的とする。
【課題を解決するための手段】
【００１３】
上記の課題の解決のために案出された本発明の二次電池は、正極板、負極板、及びセパレータが巻き取られて形成される電極組立体と、前記電極組立体及び電解液が受容される缶と一側に電解液注入口が形成されるキャッププレートを備え、前記缶の上段開口部を密封するキャップ組立体、及び前記キャップ組立体に電気的に接続される保護回路基板と、を含む二次電池であって、前記キャッププレートの上面に、前記電解液注入口を密封する密封プレートを含むことを特徴とする。
【００１４】
また、本発明において、前記密封プレートは、前記キャッププレートの上面に熔接されて形成されることができる。
【００１５】
また、本発明において、前記密封プレートは、前記電解液注入口の周囲に形成される熔接部位が閉曲線をなすように熔接できる。
【００１６】
また、本発明において、前記密封プレートの熔接部位は、前記電解液注入口を中心として環形で形成されることが好ましい。
【００１７】
また、本発明において、前記熔接部位は環形の内側が、前記電解液注入口から少なくとも０．１ｍｍ離隔されて形成されることができる。
【００１８】
また、本発明において、前記密封プレートは、レーザー熔接により結合することができる。
【００１９】
また、本発明において、前記レーザー熔接の熔接深度は０．１５ｍｍないし０．５０ｍｍである。
【００２０】
また、本発明において、前記密封プレートは、ニッケル金属からなることができる。
【００２１】
また、本発明において、前記密封プレートは、上部のニッケル金属板と下部のアルミニウム金属板とが接合されて形成されることができる。
【００２２】
また、本発明において、前記密封プレートは、０．０５ないし０．４５ｍｍの厚さで形成されることができる。
【００２３】
また、本発明において、前記密封プレートは、長さ方向に伸延して形成され、一側が前記電解液注入口に熔接され、他側が前記保護回路基板の電極タップに連結されるように形成されることができる。
【００２４】
また、本発明において、前記密封プレートは、他側の側面から上部に延びて形成される延長部が更に形成され、前記延長部に、前記保護回路基板の電極タップが連結されるように形成されることができる。
【００２５】
また、本発明において、前記キャッププレートは、前記電解液注入口の上部に前記密封プレートに相応する大きさで形成されて、前記密封プレートが安着する安着溝を更に含んで形成されることができる。
【００２６】
また、本発明において、前記密封プレートは、前記キャッププレートの電解液注入口に相応する位置が下部に所定面積が突出して熔接部が形成され、前記熔接部の外側で前記キャッププレートに熔接されるように形成されることができる。その際、前記熔接部は前記電解液注入口の直径より大きい直径または辺を有する円形または四角形で形成されることができる。
【００２７】
また、本発明において、前記密封プレートは、下面に前記電解液注入口の内径に相応する外径を有する弾性体を更に含んでなることができる。その際、前記弾性体は前記キャッププレートの厚さよりも低い高さで形成されることができる。その際、前記弾性体は、ＰＰ、ＰＰＳ、ＰＩ、ＮＹＬＯＮ６６を含む有機材料中、いずれかの一つの材質で形成されることができる。
【００２８】
また、本発明において、前記保護回路基板は、前記二次電池の正極および負極に連結する正極用リードプレート負極用リードプレートを備え、前記密封プレートは、前記リードプレート中、いずれかの一つで形成されて、前記電解液注入口の外周より大きい熔接部位を形成しながら、前記電解液注入口上に固定されるように形成されることができる。その際、前記リードプレートは、導電性プレートで形成されることができる。また、前記負極用リードプレートが前記二次電池の負極端子に熔接により固定され、前記正極用リードプレートが前記電解液注入口の上部のキャッププレートに熔接されて固定されるように形成されることができる。また、前記保護回路基板は、前記キャップ組立体上に位置するように設けられることができる。また、前記熔接部位は、実質的に前記電解液注入口の外周を囲む形状でなされることができ、前記熔接部位により形成される面積は、前記電解液注入口の断面積より少なくとも２倍になるように形成されることができる。また、前記熔接部位は少なくとも２つの熔接ラインで形成され、当該溶接ラインのいずれかの一つが他の熔接ラインを囲んでいる形態で形成されることができる。
【００２９】
また、本発明において、前記電解液注入口は電解液注入口の上部が面取りされて形成されることが好ましい。
【発明の効果】
【００３０】
本発明に係る二次電池によると、電解液注入口をキャッププレートの上部に密閉プレートを熔接して密封することにより、電解液が熔接部位に流入することを防止することができる。特に、電解液注入口に微細隙間が形成されないので、毛細管現象により熔接部位に電解液が流入することを塞ぐことができ、電解液により生じるピンホールなどが熔接部位に形成されることを防止できる効果がある。
【００３１】
また、本発明によると、電解液注入口にアルミニウムボールが圧入される必要がないので、アルミニウムボールの圧入による電解液注入口の変形を防止できる。従って、電解液注入口に隙間が生じることを防止して電解液が漏出することを防止できる効果がある。
【００３２】
また、本発明によると、密閉プレートが従来のリードプレートの機能を同時に遂行することになるので、電解液注入口を塞ぐ熔接工程と保護回路基板の正極タップが連結されるためのキャッププレートのリードプレート熔接工程とを１つの工程で遂行することができ、製造工程が短縮される効果がある。
【００３３】
また、本発明によれば、電解液注入口を信頼性のあるように密封しながらも作業工程を減らすことができ、リチウム二次電池の生産時間及びコストを減らして製品の競争力を高めることができる効果がある。
【発明を実施するための最良の形態】
【００３４】
以下、添付の図面を参照しながら本発明に係る好ましい実施の形態を詳細に説明する。
【００３５】
図２ａは、本発明の実施の形態に係る二次電池の上部に対する部分断面図を示す。図２ｂは、図２ａの平面図を示す。図３は、本発明の別の実施の形態に係る密封プレートの結合断面図を示す。図４は、本発明の又別の実施の形態に係るキャッププレートと密封プレートの結合の断面図を示す。図５ａは、本発明の又別の実施の形態に係る密封プレートの結合断面図を示す。図５ｂは、図５ａの平面図を示す。図６は、本発明の又別の実施の形態に係る密封プレートの結合の断面図を示す。図７は、本発明の又別の実施の形態に係る密封プレートの結合の断面図を示す。図８ａは、本発明の又別の実施の形態に係る密封プレートを含むリチウム二次電池の部分断面図を示す。図８ｂは、電解液注入口を密封する保護回路基板のリードプレート位置と熔接ラインの平面図を示す。図９は、本発明の又別の実施の形態に係る密封プレートを含むリチウム二次電池の斜視図を示す。
【００３６】
本発明に係る二次電池は、図２ａと図２ｂを参照すると、缶１２０と、前記缶１２０の内部に受容される電極組立体１２２と、前記缶１２０の上段開口部を密封するキャップ組立体１３０とを含んで形成される。
【００３７】
前記缶１２０は、角形リチウムイオン電池において、略直六面体で、かつ、上側が開放された形状を有する金属材質の容器であり、一般的には、軽く、腐食に容易に対処できるアルミニウムまたはアルミニウム合金が使われる。缶１２０は、正極１２３、セパレータ１２４及び負極１２５からなる電極組立体１２２のための、および電解液のための容器となり、電極組立体１２２が缶１２０の開放された上段、即ち、上段開口部を通じて缶１２０に挿入された後、缶１２０の上段開口部はキャップ組立体１３０により密封される。
【００３８】
前記電極組立体１２２は、正極板１２３と負極板１２５との間にセパレータ１２４が介在されて積層された後、ジェリーロール（ｊｅｌｌｙ−ｒｏｌｌ）形態で巻き取られて形成される。前記正極板１２３には正極タップ１２６が熔接されており、この正極タップ１２６の端部は、前記電極組立体１２２の上方に突出している。前記負極板１２５にも、負極タップ１２７が熔接されており、この負極タップ１２７の端部も、前記電極組立体１２２の上方に突出している。前記正極板１２３は、正極タップ１２６を通じてキャッププレート１３１に電気的に接続され、負極板１２５は負極タップ１２７を通じてキャッププレート１３１の負極端子１３２に電気的に接続される。従って、缶１２０は、負極端子１３２と電気的に絶縁されて正極端子の役割をすることになる。
【００３９】
前記キャップ組立体１３０は、キャッププレート１３１、電極端子１３２、及び密封プレート１４０を含んで形成される。
【００４０】
前記キャッププレート１３１は、缶１２０の上段開口部に対応する大きさと形状を有する平板型で形成され、中央部の端子通孔１３７と一側部の電解液注入口１３６を備える。前記電解液注入口１３６は、好ましくは、電解液注入口１３６の上部を面取りして、縁部が鋭く形成されることを防止する。キャッププレート１３１は、缶１２０との熔接性の向上のために、缶１２０と同じアルミニウムやアルミニウム合金で形成されることが好ましい。
【００４１】
前記電極端子１３２は、前記端子通孔１３７に貫通されて結合され、電極端子１３２の外側には、電極端子１３２とキャッププレート１３１との電気的絶縁のためにチューブ形状のガスケット１３３が設けられる。前記電極端子１３２は、一般的に負極端子として形成される。キャッププレート１３１の端子通孔の近辺のキャッププレート１３１の下面には、絶縁板１３４が配置されている。絶縁板１３４の下面には、ターミナルプレート１３５が設けられている。
【００４２】
前記密封プレート１４０は、前記キャッププレートの上面の電解液注入口１３６を密封することになる。前記密封プレート１４０は、所定の大きさの板状で形成され、電解液注入口１３６の周囲に熔接されて電解液注入口１３６を密封することになる。前記密封プレート１４０は、前記電解液注入口１３６の周囲に熔接部位１４１が閉曲線をなすように熔接されて、前記電解液注入口１３６を密封することになる。前記熔接部位１４１の閉曲線形状は、好ましくは、熔接工程の容易性のために、電解液注入口１３６を中心として環形で形成される。密封プレート１４０はニッケル、または、アルミニウムを使用して形成され、好ましくは、一定の強度のためにニッケルで形成される。密封プレート１４０は、０．０５ないし０．４５ｍｍの厚さで形成され、密封プレート１４０の厚さは、密封プレート１４０の密封性能、キャッププレート１３１の厚さ、及び熔接の便宜と関連する。密封プレート１４０の厚さがあまりに薄ければ、密封プレート１４０の密封効率が落ち、保護回路基板の電極タップが固定される際に、電極タップを支持できなくなる。また、密封プレート１４０の厚さがあまりに厚く形成される場合には、熔接が困難になる。
【００４３】
前記密封プレート１４０は、電解液注入口１３６の大きさより大きく形成されて、熔接部位１４１が電解液注入口１３６から所定距離外れて形成されるように熔接が行われる。好ましくは、前記熔接部位１４１は、熔接部位１４１が形成する環形の内側が電解液注入口１３６から０．１ｍｍ以上離隔して形成されるようにする。これは、熔接部位が電解液注入口に形成されると、熔接部位が不完全に形成されることがあり、電解液注入口に付いている電解液により熔接部位にピンホールなどが形成されて、密封が不完全になることもあるためである。
【００４４】
前記密封プレート１４０を熔接する方法としては、好ましくは、レーザー熔接が使われる。密封プレート１４０を熔接する際に、熔接の深度は密封プレート１４０の材質及び厚さ、キャッププレート１３１の厚さ及び材質によって０．１５ないし０．５ｍｍで形成される。密封プレート１４０に対する熔接の深度があまりに浅ければ、熔接が不完全であるので、熔接部位が後に分離される可能性があり、熔接の深度があまりに深ければ、密封プレート１４０またはキャッププレート１３１が損傷したり熔接部位に隙間が生じたりして、電解液が流出する可能性がある。
【００４５】
前記密封プレート１４０は、長さ方向に長く形成され、その一側が前記電解液注入口１３６に熔接され、他側が前記保護回路基板の電極タップに連結されて、密封プレート１４０がリードプレートの役割をするように形成されることができる。
【００４６】
図３は、本発明の別の実施の形態に係る密封プレートの結合の断面図を示す。
【００４７】
前記密封プレート２４０は、図３を参照すると、異種金属が接合されて形成されることができる。好ましくは、密封プレート２４０は、上部のニッケル金属板２４２と下部のアルミニウム金属板２４４とが接合して形成される。従って、アルミニウムで形成されるキャッププレート１３１と密封プレート２４０の下部は、同種金属が接することになるので、熔接性を向上させることができることになる。また、密封プレート２４０の上部のニッケル金属板２４２は、密封プレート２４０の強度を維持する一方、ニッケルで形成される保護回路基板（図示してはいない）の電極タップとの熔接性も向上させることができることになる。
【００４８】
図４は、本発明の又別の実施の形態に係るキャッププレートと密封プレートとの結合の断面図を示す。
【００４９】
本発明の又別の実施の形態に係るキャッププレート３３１は、図４を参照すると、電解液注入口３３６の上部に前記密封プレート１４０に相応する大きさで形成され、かつ、キャッププレート３３１の上面と段差が形成された安着溝３３９が形成されることができる。前記安着溝３３９は密封プレート１４０の厚さより低い深さでキャッププレート３３１の上面で段差が形成されてなされる。前記安着溝３３９には密封プレート１４０が安着して前記電解液注入口３３６より大径を有するように円形の熔接部位１４１が形成されるように熔接により固定される。前記熔接部位１４１は四角形で形成できることは勿論である。従って、密封プレート１４０は常に一定の位置に安着して熔接されるので、保護回路基板（図示してはいない）の電極タップとの結合位置も均一になって熔接位置の不均一による不良を防止できることになる。
【００５０】
図５ａと図５ｂは、本発明の又別の実施の形態に係る密封プレートの結合の断面図及び平面図を示す。
【００５１】
本発明の又別の実施の形態に係る密封プレート３４０は、図５ａと図５ｂを参照すると、密封プレート３４０の他側の側面から上部に延びて延長部３４６が形成されることができる。前記密封プレート３４０は前記電解液注入口１３６の直径より大きくなる位置に円形の熔接部位３４１が形成されるように熔接される。前記熔接部位３４１は四角形で形成できることは勿論である。前記延長部３４６は所定の高さと幅で形成され、好ましくは、電極端子（図示してはいない）の高さより低く形成されて、二次電池がよりコンパックに形成できるようにする。前記延長部３４６には前記キャッププレート１３１の上部に位置する保護回路基板の接続リードが熔接されて結合することができる。
【００５２】
図６は、本発明の又別の実施の形態に係る密封プレートの結合の断面図を示す。
【００５３】
本発明の又別の実施の形態に係る密封プレート４４０は、図６を参照すると、キャッププレート１３１の電解液注入口１３６に相応する位置が、下部へ所定面積突出して形成される熔接部４４２が形成される。前記熔接部４４２は、前記電解液注入口１３６より大きい面積を有するように所定形状で形成される。前記熔接部４４２は、好ましくは、前記電解液注入口１３６の直径より大きな径を有する円形で形成されて、外側から円周方向に熔接部位４４１が形成されながら、前記キャッププレート１３１と熔接される。前記熔接部位４４１は、前記電解液注入口１３６の直径より大きい辺を有する四角形で形成できることは勿論である。前記密封プレート４４０は、前記熔接部４４２の領域で前記キャッププレート１３１の上面に良好に密着させることになるので、熔接がより容易になり、密封プレート４４０とキャッププレート１３１との間の部分的な接触不良による熔接欠陥の発生を防止する。
【００５４】
図７は、本発明の又別の実施の形態に係る密封プレートの結合の断面図を示す。
【００５５】
本発明の又別の実施の形態に係る密封プレート５４０は、図７を参照すると、下面に前記電解液注入口１３６の内径に相応する外径を有する弾性体５４５が取り付けられて形成されることができる。例えば、前記電解液注入口１３６が円筒形の孔で形成されると、前記弾性体５４５は、前記電解液注入口１３６の内径に相応する外径を有する円柱形状で形成される。また、前記弾性体５４５は、好ましくは、前記キャッププレート１３１の厚さより低い高さで形成される。前記弾性体５４５は、弾性のある有機材料で形成され、好ましくは、電解液に耐性があるＰＰ（ｐｏｌｙｐｒｏｐｙｌｅｎｅ）、ＰＰＳ（Ｐｏｌｙｐｈｅｎｙｌｅｎｅ  Ｓｕｌｆｉｄｅ）、ＰＩ（ｐｏｌｙｉｍｉｄｅ）、ＮＹＬＯＮ６６のような材質で形成されるが、この材質に限定されものではない。前記弾性体５４５は、前記密封プレート５４０が前記キャッププレート１３１に安着する際に、前記電解液注入口１３６に挿入されて、電解液注入口１３６を一次的に密閉することになる。前記密封プレート５４０は、前記電解液注入口１３６の周囲に熔接部位５４１が形成されて、前記キャッププレート１３１に熔接される。その際、前記熔接部位５４１は、前記電解液注入口１３６の直径よりも、直径または辺の長さが長い円形または四角形で形成されることができる。
【００５６】
図８ａは、本発明の又別の実施の形態に係る密封プレートを含むリチウム二次電池の部分断面図を示す。図８ｂは、電解液注入口を密封する保護回路基板のリードプレート位置と熔接ラインを示す平面図である。
【００５７】
本発明の又別の実施の形態に係る密封プレートは、図８ａと図８ｂを参照すると、電解液注入口１３６と電極端子１３２の上部に位置する保護回路基板１５０の下面に連結される正、負極用リードプレート６４０ａ、６４０ｂのいずれかの一つで形成されることができる。前記正、負極用リードプレート６４０ａ、６４０ｂは、電気的に、保護回路基板１５０と前記電極端子１３２及びキャッププレート１３１を互いに接続し、伝導性を有するニッケル（Ｎｉ）、アルミニウム（Ａｌ）、ニッケルでコーティングされたアルミニウム、またはニッケル薄板及びアルミニウム薄板を互いに重ねたものを使用することもできる。
【００５８】
前記電解液注入口１３６は、密封プレート、即ち正極用リードプレート６４０ａが、完全に電解液注入口１３６を遮った状態で、電解液注入口１３６の周辺に形成される熔接部位６４１の熔接ライン（Ｌ）に沿って熔接されて密封される。その際に、熔接はレーザー熔接が好ましく、熔接部位６４１の熔接ライン（Ｌ）で囲まれる熔接面積が電解液注入口１３６の断面積より２倍以上大きいものが、その密閉性を高めることができるので好ましい。また、前記熔接部位６４１の熔接ライン（Ｌ）は、図８ｂに示すように、電解液注入口１３６の外周を囲む閉曲線からなっており、内側と外側の二重ラインで形成されることができる。このように、二重で熔接ライン（Ｌ）を形成すれば、密閉性を一層高めることができるという長所がある。即ち、内側熔接ラインから熔接不良が生じても、外側熔接ラインが二次的にこれを補完するので、その密閉性を一層高めることができるものである。
【００５９】
また、前記熔接部位６４１の熔接ライン（Ｌ）が電解液注入口１３６の外周より外側に配置されると、熔接性をより改善できる効果がある。また、電解液注入口１３６を塞いでいるボールがないので、電解液注入口１３６の周辺に毛細管現象が発生しなくなる。また、前記電解液注入口１３６の外周が汚染されるとしても、熔接ライン（Ｌ）と電解液注入口１３６との間にはこの汚染部分を受け入れるべき空間的余裕があるために、実質的に熔接がなされる熔接ライン（Ｌ）部分では電解液による汚染が発生せずに、熔接不良が発生しないことになる。
【００６０】
このように、前記リードプレート６４０ａ、６４０ｂ中、いずれかの一つを密封プレートとして使用して前記電解液注入口１３６を密封する構造は、リチウム二次電池の作業工数を減らす長所がある。即ち、第１に、電解液注入口１３６に別途のボールを圧入して密封する過程が省略され、保護回路基板１５０を連結する工程と電解液注入口１３６を密封する過程が同時に行われるので、作業工程自体を減らす効果がある。更に、従来のような製造工程上では、電解液注入口１３６を密封した後にはＵＶ工程を行わなければならないが、本発明によればこのような工程が省略される効果がある。延いては、従来の保護回路基板を連結するリードプレート中、正極用の場合にはケースの底面に熔接改善用プレートを固定し、その上に更に正極用リードプレートを固定して使用したが、本実施の形態ではこの工程も減らす効果がある。また、それによって、電池の全体の高さが減少する追加的な効果があり、リチウム二次電池を薄型で製作できるという長所がある。
【００６１】
また、前記負極用リードプレート６４０ｂは、前記負極端子１３２上に熔接により固定させて、二次電池の保護回路基板１５０を連結する。また、前記正、負極用リードプレート６４０ａ、６４０ｂは、二次電池の構造によっては反対に連結できることは勿論である。
【００６２】
図９は、本発明の又別の実施の形態に係る密封プレートを含むリチウム二次電池の斜視図を示す。ここで、リチウム二次電池の内部構成は、上述のリチウム二次電池の構成と同一なので、その詳細な説明は省略する。
【００６３】
本発明の又別の実施の形態に係る密封プレートは、図９を参照すると、モールディング部１６０のガイド７４０で形成される。前記モールディング部１６０は、保護回路基板（図示してはいない）を実質的に保護しながら、キャッププレートと保護回路基板の一体化のためのモールディングにより、発泡性樹脂等で形成される。前記モールディング部１６０の形成過程を見ると、リチウム二次電池が形成されると、キャッププレートにガイド７４０を熔接により固定する。前記ガイド７４０は、金属材質の立方体形態で形成されるが、モールディング樹脂が硬化する際に、その形状を支える役割をする。前記ガイド１６０をキャッププレートに熔接により固定する際には、上述の図８ａのような形態で電解液注入口１３６の周辺に熔接ラインを付加的に形成してモールディング部１６０を形成することにより、その作製工程を減らしながらも電解液注入口１３６を密封することができる。このように、本実施の形態で開示される電解液注入口の密封構造は、実質的にプレートをキャッププレートに固定する作業工程において別途の部品なしに、その工程上で使われるプレートを密封プレートとして活用する形態でなされるので、部品数及び作業工数を減らす効果があるものである。
【００６４】
次に、本発明に係る二次電池の作用について説明する。
【００６５】
前記缶１２０に電極組立体１２２が受容され、缶１２０の上段開口部に電解液が注入された後、キャップ組立体１３０が熔接により結合される。缶１２０の内部には、キャッププレート１３１の電解液注入口１３６を介して電解液が注入される。缶１２０の内部に電解液が注入された後には、前記密封プレート１４０を電解液注入口１３６の上部に位置させ、キャッププレート１３１と密封プレート１４０を熔接して、密封プレート１４０により電解液注入口１３６を密封することになる。その際、キャッププレート１３１と密封プレート１４０との熔接部位は、できる限り電解液注入口１３６から遠く離れるようにして、熔接部位１４１に電解液が流入することを防止する。特に、電解液注入口１３６には、従来とは異なり、微細隙間が形成されないことになるので、毛細管現象により、電解液が流入することを防止できる。従って、熔接部位が不完全になるか、ピンホールのような熔接不良が発生しなくなる。
【００６６】
一方、前記密封プレート１４０の他側には保護回路基板の正極タップが熔接されて、電極組立体１２２の正極と保護回路基板の正極タップとが互いに電気的に接続される。即ち、密封プレート１４０が従来のリードプレート（図１の符号４０）の機能を同時に遂行することになる。従って、従来のように、電解液注入口１３６の栓を塞ぐ熔接工程と、保護回路基板の正極タップが連結されるためのキャッププレート１３１のリードプレート熔接工程と、を１つの工程で遂行することができることになる。
【００６７】
なお、本発明の説明において、上部、下部等の上下の関係を示す記載は、二次電池の電極が設けられる側を上とし、その反対側を下として、部品等の位置関係を説明するために便宜上使用したものであり、二次電池の設置状況等によって部品等の配置が限定されるものではない。
【００６８】
以上、説明したように、本発明は上述の特定の好ましい実施の形態に限定されず、特許請求範囲で請求する本発明の要旨を逸脱しない範囲内で、当該発明が属する技術分野で通常の知識を有する者であれば誰でも多様な変形の実施が可能なことは勿論であり、そのような変更は、特許請求範囲の記載の範囲内にあることになる。
【図面の簡単な説明】
【００６９】
【図１】従来の二次電池において、ベアセルのキャッププレートに形成される電解液注入口を含む二次電池の上部を示す部分断面図である。
【図２ａ】本発明の実施の形態に係る二次電池の上部に対する部分断面図である。
【図２ｂ】図２ａの平面図である。
【図３】本発明の別の実施の形態に係る密封プレートの結合の断面図である。
【図４】本発明の又別の実施の形態に係るキャッププレートと密封プレートとの結合の断面図である。
【図５ａ】本発明の又別の実施の形態に係る密封プレートの結合の断面図である。
【図５ｂ】図５ａの平面図である。
【図６】本発明の又別の実施の形態に係る密封プレートの結合の断面図である。
【図７】本発明の又別の実施の形態に係る密封プレートの結合の断面図である。
【図８ａ】本発明の又別の実施の形態に係る密封プレートを含むリチウム二次電池の部分断面図である。
【図８ｂ】図８ａにおいて、電解液注入口を密封する保護回路基板のリードプレートに対する部分平面図である。
【図９】本発明の又別の実施の形態に係る密封プレートを含むリチウム二次電池の斜視図である。
【符号の説明】
【００７０】
１２０    缶、
１２２    電極組立体、
１３０    キャップ組立体、
１３１、３３１    キャッププレート、
１３６    電解液注入口、
３３９    安着溝、
１３２    電極端子、
１４０、２４０、３４０、４４０、５４０、６４０ａ、７４０    密封プレート、
４４２    ニッケル金属板、
４４４    アルミニウム金属板、
３４６    延長部、
４４２    熔接部、
５４５    弾性体。
【図１】
2006012829.tif 000003
【図２ａ】
2006012829.tif 000004
【図２ｂ】
2006012829.tif 000005
【図３】
2006012829.tif 000006
【図４】
2006012829.tif 000007
【図５ａ】
2006012829.tif 000008
【図５ｂ】
2006012829.tif 000009
【図６】
2006012829.tif 000010
【図７】
2006012829.tif 000011
【図８ａ】
2006012829.tif 000012
【図８ｂ】
2006012829.tif 000013
【図９】
2006012829.tif 000014